(57)【要約】【課題】多くの種類の役瓦に対して個別にハンガーを用意することなく、一種類のハンガーでもって多くの種類の役瓦を載置することができる役瓦用ハンガーを提供すること。【解決手段】役瓦の裏面の一部に接して役瓦を載置するための水平方向に伸びた一対の丸棒からなる載置体１３が一定の間隔をおいて対向して設けられるとともに、一対の載置体１３の長さが載置する役瓦の頭尻方向の長さよりも短いことを特徴とする役瓦用ハンガー１０。【選択図】  図１
0003192603.tif 000002
【実用新案登録請求の範囲】
【請求項１】
役瓦の裏面の一部に接して役瓦を載置するための水平方向に伸びた一対の棒状の載置体が一定の間隔をおいて対向して設けられるとともに、載置体の長さが載置する役瓦の頭尻方向の長さよりも短いことを特徴とする役瓦用ハンガー。
【請求項２】
載置体が丸棒であって、両端部が面取り加工されていることを特徴とする請求項１記載の役瓦用ハンガー。
【請求項３】
載置体の一部にパッドが取り付けられていることを特徴とする請求項１又は２記載の役瓦用ハンガー。
【考案の詳細な説明】
【技術分野】
【０００１】
本考案は、施釉後の役瓦を焼成工程へ向けて搬送するための役瓦用ハンガーに関する。
なお、ここでいう役瓦とは、基本形の桟瓦以外の形状の瓦である、棟瓦、冠瓦、丸瓦、軒瓦、袖瓦等を指す。
【背景技術】
【０００２】
従来の役瓦用ハンガーとしては、役瓦である略半円筒状の丸瓦や冠瓦の葺き合わせ面の傾斜角度に比較して大きく、かつ、内側から外側下方にかけて傾斜された載置面を備えた載置片が、一定の間隔をおいて一対設けられたものが知られている（例えば、特許文献１参照）。
【０００３】
従来の役瓦用ハンガーは、役瓦の裏面の両端部を載置面に接するようにし、表面の両端部を載置面に接することなく、載置面から遊離した状態で役瓦を載置することができるため、役瓦を取り外した場合でも表面の両端部の釉薬が剥離することがないほか、載置時の表面の両端部が破損することもなかった。
【先行技術文献】
【特許文献】
【０００４】
【特許文献１】特開平９−８７０７０号公報
【考案の概要】
【考案が解決しようとする課題】
【０００５】
しかし、従来の役瓦用ハンガーは、種類の異なる役瓦に合った載置片を備えたハンガーを個別に用意する必要があった。
このため、役瓦の種類ごとにハンガーを制作する必要があるほか、施釉する役瓦を変えるごとにハンガーを交換しなければならなかった。
このため、大変な手間が発生した。
【０００６】
本考案は、棟瓦、冠瓦、丸瓦、軒瓦、袖瓦等の多くの種類の役瓦に対して個別にハンガーを用意することなく、一種類のハンガーでもって多くの種類の役瓦を載置することができる役瓦用ハンガーを提供することを目的とする。
【課題を解決するための手段】
【０００７】
本考案の第１の課題解決手段は、役瓦の裏面の一部に接して役瓦を載置するための水平方向に伸びた一対の棒状の載置体が一定の間隔をおいて対向して設けられるとともに、載置体の長さが載置する役瓦の頭尻方向の長さよりも短いことを特徴とする役瓦用ハンガーである。
【０００８】
なお、ここでの役瓦の頭尻方向とは、次のとおりである。
棟瓦、冠瓦、丸瓦等の棟に用いられる役瓦については、瓦を葺いた際に他の瓦に上から重ねられて隠れる側を尻といい、その反対側を頭といい、その頭と尻を結んだ方向をいう。
軒瓦、袖瓦等の棟以外に用いられる役瓦については、瓦を葺いた際に棟側を尻といい、軒側を頭といい、その頭と尻を結んだ方向をいう。
【０００９】
本考案の第２の課題解決手段は、第１の課題解決手段において、載置体が丸棒であって、両端部が面取り加工されていることを特徴とする役瓦用ハンガーである。
【００１０】
本考案の第３の課題解決手段は、第１又は第２の課題解決手段において、載置体の一部にパッドが取り付けられていることを特徴とする役瓦用ハンガーである。
【考案の効果】
【００１１】
本考案の第１の課題解決手段は、役瓦の裏面の形状に関係なく、一対の載置体のみに役瓦の裏面の一部を接して、役瓦を頭尻方向に載置することができるため、棟瓦、軒瓦、冠瓦、丸瓦、袖瓦等の多くの種類の役瓦に対して個別にハンガーを用意することなく、一種類のハンガーでもって多くの種類の役瓦を載置することができる。
【００１２】
なお、役瓦の形状は、正面視が平板状の桟瓦と異なり、略半円筒状、略三角形状、略門形状等であることから、一対の載置体が役瓦の裏面の一部に接することにより、しっかりと位置決めされるため、役瓦をハンガーから落とすことなく安定させて載置することができる。
【００１３】
さらに、一対の載置体の長さが載置する役瓦の頭尻方向の長さよりも短いことから、平面視において一対の載置体が役瓦によって隠れることにより、役瓦の表面の両端部が載置体に接することがない。
このため、役瓦を取り外した場合でも表面の両端部の釉薬が剥離することがないほか、載置時に表面の両端部が破損することもない。
【００１４】
本考案の第２の課題解決手段は、第１の課題解決手段が奏する効果のほか、載置体が丸棒であって、両端部が面取り加工されていることから、役瓦の裏面の一部が載置体の一部に引っ掛かることがないため、ずれることなく役瓦を適正の位置に載置することができる。
【００１５】
本考案の第３の課題解決手段は、第１又は第２の課題解決手段が奏する効果のほか、載置体の一部に緩衝材の役割を果たすパッドが取り付けられていることから、役瓦を載置体に載置した際にも、役瓦の裏面が傷ついたり、欠けたりすることがない。
【図面の簡単な説明】
【００１６】
【図１】本考案の役瓦用ハンガーの正面図である。
【図２】本考案の役瓦用ハンガーの側面図である。
【図３】本考案の役瓦用ハンガーの平面図である。
【図４】本考案の役瓦用ハンガーに役瓦を載置した状態の正面図である。
【図５】本考案の役瓦用ハンガーに役瓦を載置した状態の別の正面図である。
【図６】本考案の別の役瓦用ハンガーの正面図である。
【図７】本考案の別の役瓦用ハンガーの側面図である。
【考案を実施するための形態】
【００１７】
本考案の役瓦用ハンガー１０を図面に基づいて説明する。
なお、役瓦用ハンガー１０を用いる際に必要となる取り付け用の金具、部品等については、その説明と図示を省略する。
【００１８】
本考案の役瓦用ハンガー１０は、施釉後の役瓦を焼成工程に搬送する際にチェーンコンベヤ（図示しない）に吊されて用いられるものであり、正面視において門形に設けられた支持材１１と、支持材１１の対向する両下端に設けられた一対の受け材１２と、それぞれの受け材１２の先端に対向して設けられた一対の載置体１３とを有するものである（図１−３参照）。
【００１９】
一対の受け材１２は、正面視において、支持材１１の両下端から、それぞれ内側にまっすぐ伸びてから途中で上方に伸びた形状からなるものであり、一定の間隔をおいて対向して設けられている。
【００２０】
なお、一対の受け材１２がこのような形状である理由は、役瓦を一対の載置体１３に載置した際に、役瓦の一部が支持材１１や受け材１２に当たらないようにするためである。
【００２１】
一対の載置体１３は、役瓦の裏面の一部に接して役瓦を載置するためのものであり、一定の間隔をおいて対向して設けられた、水平方向に伸びた一対の丸棒からなるものであって、両端部Ｓが面取り加工されているものである。
なお、ここでいう丸棒とは、断面形状が丸形の棒を指す。
【００２２】
このため、役瓦の裏面の形状に関係なく、一対の載置体１３のみに役瓦の裏面の一部を接して、役瓦を頭尻方向に載置することができるため、例えば、三角棟瓦１５（図４（ａ）参照）、剣付冠瓦１６（図４（ｂ）参照）、袖瓦１７（図５（ａ）参照）、三角冠瓦１８（図５（ｂ）参照）等の多くの種類の役瓦に対して個別にハンガーを用意することなく、一種類の役瓦用ハンガー１０でもって多くの種類の役瓦を載置することができる。
【００２３】
また、一対の載置体１３が丸棒であって、両端部Ｓが面取り加工されていることから、役瓦の裏面の一部が載置体１３の一部に引っ掛かることがないため、ずれることなく役瓦を適正の位置に載置することができる。
なお、載置体１３は棒状のものであれば良く、断面形状が四角形や多角形の棒であっても良い。
【００２４】
さらに、一対の載置体１３のそれぞれの両端部Ｓ付近には緩衝用のパッド１４が備えられている（図１−３参照）。
このため、役瓦を一対の載置体１３に載置した際にも、役瓦の裏面が傷ついたり、欠けたりすることがない。
なお、パッド１４は、一対の載置体１３のそれぞれに不可欠なものではない。
【００２５】
さらに、一対の載置体１３の長さは、載置する役瓦の頭尻方向の長さよりも短く設けられている。
このため、役瓦を載置した際にも、平面視において一対の載置体１３が役瓦によって隠れることとなり（図示しない）、役瓦の表面の両端部Ｈが一対の載置体１３に接することがないため（図４−５参照）、役瓦を取り外した場合でも表面の両端部Ｈの釉薬が剥離することがないほか、載置時に表面の両端部Ｈが破損することもない。
【００２６】
なお、水平方向に役瓦を搬送する装置（図示しない）に用いられる役瓦用ハンガー１０ａの場合には、一定の間隔をおいて対向して設けられた板状の一対の支持材１１ａと、一対の支持材１１ａのそれぞれから上方に伸びた板状の受け材１２ａと、一対の受け材１２ａのそれぞれの上端に設けられた丸棒からなる載置体１３ａとを有し、役瓦用ハンガー１０と同様に、一対の載置体１３ａの両端部Ｓが面取り加工されているとともに、両端部Ｓ付近に緩衝用のパッド１４が備えられたものとなる（図６−７参照）。
【符号の説明】
【００２７】
１０  役瓦用ハンガー
１０ａ  役瓦用ハンガー
１１  支持材
１１ａ  支持材
１２  受け材
１２ａ  受け材
１３  載置体
１３ａ  載置体
１４  パッド
１５  三角棟瓦
１６  剣付冠瓦
１７  袖瓦
１８  三角冠瓦
Ｓ  端部（載置体）
Ｈ  端部（役瓦）
【図１】
0003192603.tif 000003
【図２】
0003192603.tif 000004
【図３】
0003192603.tif 000005
【図４】
0003192603.tif 000006
【図５】
0003192603.tif 000007
【図６】
0003192603.tif 000008
【図７】
0003192603.tif 000009